(57)【要約】【課題】  ＩＣチップを利用して、従来とは全く異なった手法で物品情報を管理して携行すべき物品をチェックすること。【解決手段】  本発明の物品情報管理装置１は、物品に取付けられたＩＣチップからＩＤ情報を受ける受信手段２０と、一のユーザが所有する物品のＩＤ情報と、物品の名称とを記憶するデータベース２２と、ユーザが所定日時に所持すべき物品として入力した物品のＩＤ情報を所定日時に所持すべき物品のＩＤ情報として登録するＩＤ情報登録手段２２と、受信手段が所定日時に受けたＩＤ情報と所定日時に所持すべき物品のＩＤ情報とを比較し不足があるか否か判定する不足ＩＤ情報判定手段１０と、不足ＩＤ情報があったときに不足ＩＤ情報を有する物品の名称を前記ユーザの通知先に通知する通知手段１６と備えている。【選択図】      図１
2006085586.tif 000002
【特許請求の範囲】
【請求項１】
物品情報管理装置であって、
物品に取付けられたＩＣチップから当該物品固有のＩＤ情報を受ける受信手段と、
一のユーザが所有する物品に取付けられたＩＣチップのＩＤ情報と、当該物品の名称とを関連付けて記憶するデータベースと、
前記ユーザが所定日時に所持すべき物品として入力した物品のＩＤ情報を、前記データベースに基づいて検索し、前記ユーザが入力した物品のＩＤ情報を所定日時に所持すべき物品のＩＤ情報として登録するＩＤ情報登録手段と、
前記受信手段が前記所定日時に受けたＩＤ情報と、前記所定日時に所持すべき物品のＩＤ情報とを比較し、前記所定日時に所持すべき物品のＩＤ情報には含まれているが前記受信手段が前記所定日時に受けたＩＤ情報には含まれていない不足ＩＤ情報があるか否か判定する不足ＩＤ情報判定手段と、
前記不足ＩＤ情報があったときには、当該不足ＩＤ情報を有する物品の名称を前記ユーザの通知先に通知する通知手段と、備えている、
ことを特徴とする物品情報管理装置。
【請求項２】
前記受信手段が、複数箇所に設けられており、
前記ＩＤ情報登録手段は、所定日時に所持すべき物品のＩＤ情報が、いずれの受信手段で受信されるべきかを設定可能であり、
前記不足ＩＤ情報判定手段は、受信手段毎に、不足ＩＤ情報の判定を行う、
請求項１に記載の物品情報管理装置。
【請求項３】
前記一のユーザにより指定された特定物品の名称を他のユーザに送信し、該他のユーザが所有する前記特定物品と同一種別の物品のＩＤ情報を前記他のユーザ側から返信させて入手するＩＤ情報入手手段を、更に備え、
前記ＩＤ情報登録手段は、前記ＩＤ情報入手手段が入手した他のユーザが所有する物品のＩＤ情報を所定日時に所持すべき物品のＩＤ情報として登録する、
請求項１または２に記載の物品情報管理装置。
【請求項４】
前記一のユーザが所有する特定物品を指定することにより該特定物品の名称を他のユーザに送信し、該他のユーザが所有する前記特定物品と同一種別の物品のＩＤ情報を前記他のユーザ側から返信させるＩＤ情報入手手段を、更に備え、
前記ＩＤ情報登録手段は、前記ＩＤ情報入手手段が入手した他のユーザが所有する物品のＩＤ情報を所定日時に所持すべき物品のＩＤ情報として登録する、
請求項１または２に記載の物品情報管理装置。
【請求項５】
前記ユーザの通知先が、前記他のユーザの通知先を含む、
請求項３または４に記載の物品情報管理装置。
【発明の詳細な説明】
【技術分野】
【０００１】
本発明は、物品情報管理装置に関連し、詳細には、ＩＣチップを利用して携行すべき物品の管理を行う物品情報管理装置に関連する。
【背景技術】
【０００２】
キャンプ、旅行などに出かけるときには複数の物品を携行するが、忘れ物をしないように携行すべき物品のリストを予め作成し、このリストに従って携行すべきものを所持したか否かをチェックしていく。
【０００３】
一方、近年、ＩＣタグ、ＲＦＩＤタグ等と称される物品情報を記憶したＩＣチップを物品（物品）に取付け、物品管理を行うシステムが実用化されつつある。このようなＩＣチップには、ＩＣチップが取付けられている物品の種別、生産者、生産時期等の物品のＩＤ情報が記憶されている。そして、これらのＩＤ情報はリーダにより非接触で読み取り可能となっている。今後、このようなＩＣチップが、極めて多くの物品に取付けられ、物品管理等が行われると考えられる。
【発明の開示】
【発明が解決しようとする課題】
【０００４】
上述したようなリストによるチェックでは、チェック漏れがある等の問題があった。すなわち、事前に上記リストを作成したとしても、例えば、キャンプ、旅行などに出かける際、そのリストに記載された物品をカバン等に入れ忘れたにもかかわらず、入れたものとと勘違いしたり、出発前の準備で多忙になりリストによるチェックをし忘れてしまう場合等がある。このように、従来のリストを用いたチェックでは、キャンプ、旅行などに出かける際ぶ、携行すべき持ち物を持ったか否かを確実にチェックすることが難しかった。
【０００５】
本発明は、上述した従来技術の問題を解決するためになされたものであり、市場に流通する多くの物品（物品）に取付けられることが予想されるＩＣチップを利用して、従来とは全く異なった手法で物品情報を管理して携行すべき物品をチェックすることができる物品情報管理装置を提供することを目的とする。
【課題を解決するための手段】
【０００６】
本発明によれば、物品情報管理装置であって、物品に取付けられたＩＣチップから当該物品固有のＩＤ情報を受ける受信手段と、一のユーザが所有する物品に取付けられたＩＣチップのＩＤ情報と、当該物品の名称とを関連付けて記憶するデータベースと、前記ユーザが所定日時に所持すべき物品として入力した物品のＩＤ情報を、前記データベースに基づいて検索し、前記ユーザが入力した物品のＩＤ情報を所定日時に所持すべき物品のＩＤ情報として登録するＩＤ情報登録手段と、前記受信手段が前記所定日時に受けたＩＤ情報と、前記所定日時に所持すべき物品のＩＤ情報とを比較し、前記所定日時に所持すべき物品のＩＤ情報には含まれているが前記受信手段が前記所定日時に受けたＩＤ情報には含まれていない不足ＩＤ情報があるか否か判定する不足ＩＤ情報判定手段と、前記不足ＩＤ情報があったときには、当該不足ＩＤ情報を有する物品名称を前記ユーザの通知先に通知する通知手段と、備えている、ことを特徴とする物品情報管理装置が提供される。
【０００７】
このような構成によれば、所定日時に所持すべきものとしてユーザが予め登録した物品のＩＤ情報を、受信手段が所定日時に受信したか否かに基づいて、ユーザが所持すべき物品を所持しているか否かが判定されるので、多数の物品を所持すべき場合であっても、漏れなく確実に所持すべき物品のチェックが行われる。
【０００８】
また、物品を所持すべき所定日時に受信手段がＩＤ情報を受信したか否かに基づいているので、所定日時とは異なる日時にＩＤ情報を受信したか否かがチェックされてしまいユーザへの通知が誤って行われてしまうことも防止できる。
【０００９】
本発明の他の好ましい態様によれば、前記受信手段が、複数箇所に設けられており、前記ＩＤ情報登録手段は、所定日時に所持すべき物品のＩＤ情報が、いずれの受信手段で受信されるべきかを設定可能であり、前記不足ＩＤ情報判定手段は、受信手段毎に、不足ＩＤ情報の判定を行う。
【００１０】
このような構成によれば、ＩＤ情報登録手段にＩＤ情報が登録されている物品が、一カ所に集まってから不足ＩＤ情報を検出するのではなく、一カ所に集まる前の段階である複数の箇所で、ユーザが所持すべき物品を所持しているか否かのチェックが可能となるので、早い段階で不足ＩＤ情報を検出して、忘れ物をしたユーザに通知することが可能となる。
【００１１】
本発明の他の好ましい態様によれば、前記一のユーザにより指定された特定物品の名称を他のユーザに送信し、該他のユーザが所有する前記特定物品と同一種別の物品のＩＤ情報を前記他のユーザ側から返信させて入手するＩＤ情報入手手段を、更に備え、前記ＩＤ情報登録手段は、前記ＩＤ情報入手手段が入手した他のユーザが所有する物品のＩＤ情報を所定日時に所持すべき物品のＩＤ情報として登録する。
【００１２】
このような構成によれば、ユーザ（一のユーザ）が友人等（他のユーザ）と出かける際に、その友人等に持ってきてもらいた特定物品（例えば、カメラ）がある場合、その特定物品の名称が友人に送られるので、その友人にその特定物品を持ってきて欲しい旨を伝えられる。
【００１３】
さらに、ユーザ（一のユーザ）が知らない、友人が所有するその物品（カメラ）のＩＤ番号を友人に選択させて送ってもらえるので、ユーザ（一のユーザ）側でこれを登録することにより、友人が持ってくる（所持す）べき物品のＩＤ情報の管理も一のユーザ側で行うことができる。
【００１４】
本発明の他の好ましい態様によれば、前記一のユーザが所有する特定物品を指定することにより該特定物品の名称を他のユーザに送信し、該他のユーザが所有する前記特定物品と同一種別の物品のＩＤ情報を前記他のユーザ側から返信させるＩＤ情報入手手段を、更に備え、前記ＩＤ情報登録手段は、前記ＩＤ情報入手手段が入手した他のユーザが所有する物品のＩＤ情報を所定日時に所持すべき物品のＩＤ情報として登録する。
【００１５】
このような構成によれば、一のユーザは、他のユーザに持ってきて貰いたい特定物品を伝える際に、自分が所有する物品をリストアップするなどして、その中から特定物品を指定するので、特定物品の名称を正確に他のユーザに伝えることができる。
【００１６】
本発明の他の好ましい態様によれば、前記ユーザの通知先が、前記他のユーザの通知先を含む。
このような構成によれば、他のユーザが所持すべきものを忘れた場合には、他のユーザに直接、通知して、早い段階で忘れ物に気づかせることが可能となる。
【発明の効果】
【００１７】
本発明によれば、市場に流通する多くの物品（物品）に取付けられることが予想されるＩＣチップを利用して、従来とは全く異なった手法で物品情報を管理して携行すべき物品を確認することができる物品情報管理装置が提供される。
【発明を実施するための最良の形態】
【００１８】
以下、添付図面を参照して、本発明の好ましい実施形態を詳細に説明する。図１は本発明の一実施態様の物品情報管理装置１を含む物品情報管理システムの構成を概略的に示す図面である。本実施形態の物品情報管理システムは、ユーザが旅行等に出かけるときに持って行くべき物品を予め入力しておくと、出発の際に、これらの物品を実際に所持しているか否かをチェックするシステムである。
【００１９】
図１に示されているように、この物品情報管理システムは、車両に搭載された車載物品情報管理装置１と、ユーザ（一のユーザ）およびその友人（他のユーザ）の自宅等に設置された自宅用物品情報管理装置２と、自宅の玄関先等に設置されたＩＣチップリーダ４と、ユーザが所有する携帯電話等の携帯端末装置６と、これらを互いに接続するネットワーク８等を含んでいる。
【００２０】
本実施形態の物品情報管理システムは、カメラ、時計、懐中電灯、衣類、バッグ等の市販されている物品に、その物品のＩＤ情報を記憶したＩＣチップが取付けられていることを前提にしている。このＩＤ情報は、個々の物品毎に異なるものであり、同じ種別の物品（例えば、同一機種のカメラ）であっても、個々の物品に取付けられたＩＣチップに記憶されているＩＤ情報は異なっている。
【００２１】
自動車に取付けられている車載物品情報管理装置１は、車両に積み込まれている物品の情報を管理等する物品情報管理ユニットを構成するＣＰＵ１０を備えている。物品情報管理装置１は、さらに、ディスプレイ１２と、スピーカ１４と、通信装置１６と、入力装置１８と、ＩＣチップリーダ２０と、車載データベース２２とを備え、これらは、それぞれＣＰＵ１０に接続されている。
【００２２】
ディスプレイ１２は、各種情報を表示する液晶表示装置等の表示装置であり、スピーカ１４は、車両の乗員に音声による通知を行う通知装置である。通信装置１６は、ネットワーク８を介して、他の物品情報管理装置２、ユーザの移動端末（携帯電話）６との間で情報の送受信を行う装置である。入力装置１８は、ユーザが種々の情報、命令等をＣＰＵ１０に対して入力する装置である。
【００２３】
車載ＩＣチップリーダ２０は、物品に取付けられたＩＣチップ（ＩＣタグ、ＲＦＩＤタグ）からその物品のＩＤ情報を読み取ることができるように構成されたリーダであり、車両に積み込まれている物品に取付けられているＩＣチップのＩＤ情報の読み取ることできるように構成されている。
【００２４】
車載データベース２２には、ユーザの所有する物品、携行品等に関する情報が記憶されている。本実施形態の車載データベース２２は、図２に示されているように、物品ＩＤデータベース２４と、携行品データベース２６と、ユーザデータベース２８と、受信手段データベース３０と、制御プログラムデータベース３２とを含んでいる。
【００２５】
物品ＩＤデータベース２４には、ユーザ（車両所有者）が所有している物品のＩＤ情報がその物品の名称（「種別」）と「ジャンル」と関連づけられて記憶されている。このＩＤ情報は、その物品に取付けられているＩＣチップに記憶されているその物品固有のＩＤ情報である。このＩＤデータベース２４は、ユーザが物品を購入または入手する毎に、更新される。
【００２６】
図２の例では、車載物品情報管理装置１が搭載されている車両所有者の持ち物の一部として、「ＩＤ」が「０２２１５５１」で「ジャンル」が「バッグ」である「ダッフルバック」と、「ＩＤ」が「０５５４５４５」で「ジャンル」が「アウトドア用品」である「ランタン」と、「ＩＤ」が「０２５２５４４」で「ジャンル」が「電気機器」である「デジカメ」が、記憶されている。
【００２７】
携行品データベース２６には、所定日時に所持（携行）すべき物品が設定（記憶）されている。携行品データベース２６の内容は、ユーザによって設定されるものであり、所定日時と、携行すべき物品のＩＤ、携行すべき物品の種別、携行すべき物品のジャンル、携行すべき人物（担当者）、携行していることをチェックする場所等が、物品毎に設定されている。
【００２８】
図２は、車両の所有者であるユーザの○○が、友人である△△と××と物品情報管理装置１が取付けられている○○の車で８月１２日朝にキャンプに出かける際、携行品のチェックを行うために設定した、携行品データベース２６の設定内容の一部を示している。
【００２９】
この例では、ユーザ○○によって、８月１２日のキャンプに携行すべき物品として、「ダッフルバック」と、「ランタン」と、「デジカメ」と、「コンロ」と、「鍋」とが設定され、それぞれの物品について、携行しているか否か確認を行う日時（例えば、ダッフルバックでは８月１２日午前６時等）、ＩＤ情報、その物品を携行する担当者（例えば、鍋は××等）、確認を行う場所（例えば、ダッフルバックでは○○の車両、コンロでは△△の自宅玄関等）等の項目が設定登録されている。
【００３０】
ユーザデータベース２８には、物品情報管理システムを利用するユーザに関する情報が記憶されている。即ち、ユーザＩＤ、ユーザ名、連絡先、そのユーザの認証ＩＤ、データベースＩＤが、ユーザ毎に記憶されている。ユーザＩＤは各ユーザを示すＩＤであり、連絡先は、メールアドレス、携帯電話番号等のそのユーザへの連絡先である。また、認証ＩＤとは、携帯電話などのユーザが常時、携行している物品のＩＤ情報であり、このＩＤ情報が検出されることにより、そのユーザがその付近にいると推定できる。
図２の例では、ユーザ○○について、ＩＤが「０１２３４５」、連絡先は「１２３＠４５６＠．ｎｅ．ｊｐ」、認証ＩＤ「０１２３４５６７８９」と設定登録されている。
【００３１】
受信手段ＤＢ３０には、ＩＣチップリーダ４、２０の設置場所に関する情報が記録されている。また、制御プログラムデータベース３２には、物品情報管理装置１の各種制御プログラムが収納されている。
【００３２】
自宅用物品情報管理装置２は、物品情報管理システムの各ユーザの自宅等に設置されている装置であり、コンピュータ３４と備えている。自宅用物品情報管理装置２は、さらに、ディスプレイ３６と、通信装置３８と、入力装置４０と、自宅データベース４２とを備え、これらは、それぞれコンピュータ３４に接続されている。
【００３３】
ディスプレイ３６は、各種情報を表示する液晶表示装置等の表示装置であり、通信装置３８は、ネットワーク８を介して、車載物品情報管理装置１、ユーザの移動端末（携帯電話）６との間で情報の送受信を行う装置である。入力装置４０は、ユーザが種々の情報、命令等をコンピュータ３４に対して入力する装置である。
【００３４】
自宅データベース４２は、ユーザが所有する物品に関する情報等を記録するものであり、図２に沿って説明した、車載データベース２２の物品ＩＤデータベース２４と、ユーザデータベース２８と同様の内容が記憶されている。この自宅データベース４２も、ユーザが物品を購入または入手する毎に更新されていく。
【００３５】
ＩＣチップリーダ４は、車載ＩＣチップリーダ２０と同様に、物品に取付けられているＩＣチップのＩＤ情報を読み取り可能なものであり、このシステムを利用する各ユーザの自宅の玄関等に設置され、受信したＩＤ情報に基づいて、玄関を通過する人物が何を所持しているかを検出できるように構成されている。また、ＩＣチップリーダ４は、受信したＩＤ情報を、ネットワーク８を介して、送受信可能とされている。図１では、ＩＣチップリーダ４が、１台しか示されていないが、本実施形態では多数のＩＣチップリーダが種々の場所に設定されている。
【００３６】
次に、図３のフローチャートに沿って本実施形態の物品情報管理システムで行われる処理を説明する。図３は、本実施形態の物品情報管理システムのユーザである○○が、同じくユーザである友人の△△と××と、車載物品情報管理装置１が取付けられている○○の車で、８月１２日朝にキャンプに出かける際の携行品チェックの処理例である。
【００３７】
○○の車両には車載物品情報管理装置１が取付けられ、○○、△△、××の自宅にはそれぞれ自宅物品情報管理装置２が設置されている。車載物品情報管理装置１の物品ＩＤデータベース２４には、○○が所有する物品のＩＤ情報と種別等が関連づけて記憶されている。また、○○、△△、××の自宅にそれぞれ設置されている自宅物品情報管理装置２には、○○、△△、××のそれぞれが所有する物品のＩＤ情報と種別等が関連づけて記憶されている。
また、○○、△△、××の自宅の玄関には、玄関を通過する物品に取付けられているＩＣチップからＩＤ情報を読み取ることができるＩＣチップリーダ４が設置されている。
【００３８】
物品情報管理装置１の処理がスタートすると、ステップＳ１で、キャンプに持って行くべき物品（携行品）、その携行品を持ってくる担当者、その携行品のＩＤ情報、種別、その携行品のチェックと行う日時及び場所等が設定登録される。
【００３９】
具体的には、この設定登録は、ディスプレイ１２に図４に示されているような「携行品情報の入力」画面を表示させて、ユーザ（○○）が入力装置１８を通して行う。図４の例では、○○が所有している「ＩＤ」が「０２２１５５１」の「ダッフルバック」と、「ＩＤ」が「０５５４５４５」の「ランタン」とが、携行品として入力される。○○が所有している物品については、図５に示されているような車載データベース２２の物品ＩＤデータベース２４の内容をディスプレイ１２に表示させ、この画面上で、持って行くべき物品を選択することによって、携行品として設定登録する。
【００４０】
また、これら携行品として設定登録された物品を持って行く担当者と、その物品が所持（携行）されているか否かをチェックする日時と場所が入力される。図４の例では、「ダッフルバック」と「ランタン」とは、○○が持って行き、８月１２日の午前６時に○○の車両内でチェックされることになっている。
【００４１】
さらに、ユーザデータベース２８に設定されている○○の連絡先が、これらの携行品が８月１２日の午前６時に○○の車両に積み込まれていないときに連絡をすべき連絡先として設定される。
【００４２】
さらに、同行者の△△が持ってくる物品である「コンロ」が入力される。この段階では、設定登録を行っている○○は△△が所有する「コンロ」のＩＤ情報を知らないので、ＩＤ情報は空欄とされている。また、「コンロ」が、所持（携行）されているか否かをチェックする日時と場所が、８月１２日の午前６時３０分に△△宅の玄関と入力され、担当者は△△とされる。この例では、この日時は、△△が自宅に出発する時間に設定される。
【００４３】
さらに、ユーザデータベース２８に設定されている△△の連絡先が、「コンロ」が８月１２日の午前６時３０分に△△宅の玄関で検出できなかったときに連絡をすべき連絡先として設定される。
【００４４】
更に、××が持ってくる物品である「鍋」が入力される。この段階では、設定登録を行っている○○は××が所有する「鍋」のＩＤ情報を知らないので、ＩＤ情報は空欄とされている。また、「鍋」が、所持（携行）されているか否かをチェックする日時と場所が、８月１２日の午前７時に××宅の玄関と入力され、担当者は××とされる。この例では、この日時は、××宅に到着する時間に設定されている。
【００４５】
さらに、ユーザデータベース２８に記憶されている××の連絡先が、「鍋」が８月１２日の午前７時に××宅の玄関で検出できなかったとき連絡をすべき連絡先として設定される。
【００４６】
他の携行品についても、同様の作業によって設定が行われ、図２に一部が示されているような内容が、携行品データベース２６に設定登録される。
【００４７】
次いで、ステップＳ２に進み、携行品の担当者となっている同行者がいるか否かが判定される。ステップＳ２でＹＥＳのときには、即ち、上述の例のように同行者（△△、××）が持ってくる物品がある場合には、ステップＳ３に進み、ネットワーク６を介して、その同行者（△△または××）の自宅の自宅用物品情報管理装置２に、その同行者（△△または××）が持ってくるべき物品の種別が通知される。即ち、△△の自宅の自宅用物品情報管理装置２には、物品の種別「コンロ」が、××の自宅の自宅用物品情報管理装置２には物品種別「鍋」が送信される。
【００４８】
この際、○○は、同行者にもってきてもらう物品、例えば「コンロ」を持っていない場合には、「コンロ」という物品名を入力装置１８から打ち込むことによって特定し、同行者の△△に通知する。また、○○は、「鍋」を持ってはいるが、同行者の××に「鍋」を持ってきて貰うときには、物品ＩＤデータベース２４等から自分が所有する物品のリスト（鍋を含む）を呼び出し、そのリスト上で「鍋」を特定し、同行者の××に通知する。
【００４９】
××、△△の自宅の自宅用物品情報管理装置２は、この物品種別を受信すると（ステップＳ４）、ステップＳ５に進み、送信されてきた物品種別に基づいて、自宅データベース４２を検索し、他のユーザ（××、△△）が所有する物品（「コンロ」、「鍋」）のＩＤ情報を抽出する。この操作は、他のユーザ（△△、××等）がマニュアル操作で行う構成でも良い。
【００５０】
さらに、ステップＳ６に進み、抽出した物品（「コンロ」、「鍋」）のＩＤ情報（「３２７２１２３」、「５３２４１７８」）を車載物品情報管理装置１にネットワーク８を介して送信する。
【００５１】
次いで、車載物品情報管理装置１は、ステップＳ７に進み、受信したＩＤ情報を携行品データベース２６に設定されている当該物品のＩＤ情報として登録する。すなわち、空欄となっていた、「コンロ」、「鍋」のＩＤ情報の欄に、受信した「コンロ」、「鍋」のＩＤ情報を設定する。以上で、携行品登録が完了する。
【００５２】
次に、ステップＳ８に進み、携行品データベース２６に設定されている日時のいずれかであるか否かが判定される。即ち、携行品のチェックを行う日時であるか否かを判定する。ステップＳ８でＹＥＳ、例えば、８月１２日の午前６時になったときには、ステップＳ９に進み、その日時に携行品のチェックが行われるユーザの認証ＩＤが、チェックを行うＩＣチップリーダによって検出されたか否かが判定される。
【００５３】
例えば、８月１２日の午前６時であれば、○○の車両で○○の認証ＩＤである「０１２３４５６７８９」が検出されたか否かが判定される。また、８月１２日の午前６時３０分であれば、△△宅の玄関で、△△の認証ＩＤである「０２５４４８８４４４」が検出されたか否かが判定される。
【００５４】
ステップＳ９でＹＥＳのときには、ステップＳ１０に進み、認証ＩＤが検出された前後の所定時間内に、その時間（例えば、８月１２日午前６時）に携行品のチェックが行われる場所（例えば、○○の車両内）で、ＩＣチップリーダによって受信されたＩＤ情報を検出する。
【００５５】
例えば、携行品データベース２６には、８月１２日午前６時には○○の車両で携行品のチェックを行うように設定されているので、ステップＳ９で８月１２日午前６時と判定されてステップＳ１０に進んだときには、ステップＳ１０で、車載ＩＣチップリーダ２０によって受信されたＩＤ情報が検出される。
【００５６】
次いで、ステップＳ１１に進み、ＩＣチップリーダが検出したＩＤ情報と、検出されるべきＩＤ情報として登録されているＩＤ情報とを比較し、検出されるべきＩＤ情報として登録されているＩＤ情報に含まれているが、ＩＣチップリーダが検出したＩＤ情報には含まれていない不足ＩＤ情報があるか否かが判定される。
【００５７】
８月１２日の午前６時の例では、車載ＩＣチップリーダ２０が検出したＩＤ情報と、携行品データベース２６に８月１２日の午前６時に車載ＩＣチップリーダ２０で検出されるべきＩＤ情報として登録されているＩＤ情報とを比較し、携行品データベース２６に８月１２日の午前６時に車載ＩＣチップリーダ２０で検出されるべきＩＤ情報として登録されているＩＤ情報には含まれているが、８月１２日の午前６時に車載ＩＣチップリーダ２０が検出したＩＤ情報には含まれていないＩＤ情報（不足ＩＤ情報）があるか否かが判定される。この判定により、○○の車両に「ダッフルバック」と、「ランタン」とが積み込まれているか否かの判定がなされる。
【００５８】
８月１２日の午前６時３０分の例では、ステップＳ１０で、携行品データベース２６に８月１２日の午前６時３０分に△△宅の玄関で検出されるべきものと設定されている物品（「コンロ」）のＩＤ情報が、△△宅の玄関に設置されたＩＣチップリーダ４によって検出されたか否かを判定する。この判定により、△△が「コンロ」を所持して玄関を通過（即ち、出発）したか否かの判定がなされる。
【００５９】
ステップＳ１１で、ＹＥＳすなわち不足ＩＤ情報があったときには、所定の携行品が積み込まれていない又は所持されていない（忘れ物をしている）ので、ステップＳ１２で、その携行品を携行すべきユーザ（担当者）に通知が実行される。この通知は、ユーザデータベース２８に登録されているそのユーザの連絡先（例えば、携帯電話）に、図６に示されているような通知画面を表示させることによって実行される。
【００６０】
ステップＳ９のＮＯのときには、所定時間は繰り返し認証ＩＤの検出を行う構成であるのが好ましい。ユーザが遅刻して、所定の日時にＩＤ検出が行えない場合に対処するためである。
【００６１】
このような構成によれば、ＩＣチップのＩＤ情報に基づいて携行品を、所定タイミングで携行品毎に異なった場所でチェックできるので、同行者と手分けして携行品を持っていくときでも、忘れ物をしにくくなる。
【００６２】
本発明は上記実施形態に限定されることなく、特許請求の範囲に記載された技術事項の範囲内で種々の変更又は変形が可能である。
【００６３】
上記の例では、ステップＳ１ないしステップＳ７の携行品の設定登録を、車載物品情報管理装置１で行う処理を説明したが、ユーザ○○の自宅に設置されている自宅物品情報管理装置２を通してステップＳ１ないしステップＳ７の処理を行い、その登録内容を、車載物品情報管理装置１に転送する処理を行ってもよい。
【００６４】
また、上記実施形態は、複数のユーザが１台の車両で一緒に出かける場合であったが、本発明は、一人のユーザが車両を使わずに出かける場合にも適用可能である。この場合には、物品のチェックは、そのユーザの玄関先等で行われる。
【図面の簡単な説明】
【００６５】
【図１】本発明の一実施態様の物品情報管理装置を含む物品情報管理装置システムの構成を概略的に示す図面である。
【図２】車載データベース（または自宅データベース）の構成示す図面である。
【図３】本発明の一実施態様の物品情報管理装置を含む物品情報管理装置システムで行われる処理の一例を示すフローチャートである。
【図４】「携行品情報の入力」画面の一例である。
【図５】車載データベースの物品ＩＤデータベースの内容の表示例である。
【図６】不足ＩＤ情報（忘れ物）があった場合の通知画面の一例である。
【符号の説明】
【００６６】
１：車載物品情報管理装置
２：自宅物品情報管理装置
４：ＩＣチップリーダ
８：ネットワーク
【図１】
2006085586.tif 000003
【図２】
2006085586.tif 000004
【図３】
2006085586.tif 000005
【図４】
2006085586.tif 000006
【図５】
2006085586.tif 000007
【図６】
2006085586.tif 000008